(57)【要約】【課題】水面検出機能が働かない状態での水の吸い込みを防ぎ、フィルタが水に浸って目詰まりを起こすという不具合の発生を防ぐことができる集塵機を提供すること。【解決手段】ＯＮ／ＯＦＦスイッチ１７がＯＮ状態のときに吸気装置を運転状態とする制御回路と、一対の電極２７ａ，２７ｂ間に流れる電流が閾値を超えたときに吸気装置を停止状態とする水面検出回路（水面検出手段）２８を有する集塵機において、前記一対の電極２７ａ，２７ｂを少なくともフィルタの底か底より低い位置に先端があるようにフィルタハウジングに設け、メインモータベースに制御回路と接続された一対の接触子２５ａ，２５ｂを設け、該一対の接触子２５ａ，２５ｂと一対の電極２７ａ，２７ｂに接続された接触子２６ａ，２６ｂとを接触させ、予め定めた電流より小さな電流が一対の電極２７ａ，２７ｂ間に流れるよう該電極２７ａ，２７ｂ間に抵抗器３３を接続する。【選択図】図２
2009165752.tif 000002
【特許請求の範囲】
【請求項１】
粉塵を吸引する吸気装置と、
該吸気装置によって吸込口から吸引される塵埃を収納するタンクと、
該タンクの水位を検出する水面検出手段とを有し、
前記水面検出手段の故障を検知する検知手段を設けたことを特徴とする集塵機。
【請求項２】
前記水面検出手段は、一対の電極及び水面検出回路と、前記一対の電極側と前記水面検出回路側とを分離可能に接続する接触子とを有し、前記検出手段は前記接触子の接触不良を検知することを特徴とする請求項１記載の集塵機。
【請求項３】
前記接触子から見て前記一対の電極側に前記一対の電極間を接続する抵抗器を設けたことを特徴とする請求項２記載の集塵機。
【請求項４】
前記水面検出手段の故障を検知したときに警告を発する警告手段を設けたことを特徴とする請求項１〜３の何れかに記載の集塵機。
【請求項５】
前記タンク内の水位が予め定めた閾値を超えたときに警告を発する水位警告手段を設けたことを特徴とする請求項１〜４の何れかに記載の集塵機。
【請求項６】
前記警告手段を前記水位警告手段とは別に設けたことを特徴とする請求項５記載の集塵機。
【請求項７】
前記水面検出手段の故障を検知した状態で、前記吸気装置が運転状態にならないようにする制御手段を設けたことを特徴とする請求項１〜６の何れかに記載の集塵機。
【請求項８】
前記吸気装置が運転状態にあるとき、前期水面検出手段の故障を検知して前記吸気装置が停止状態となることを特徴とする請求項１〜７の何れかに記載の集塵機。
【請求項９】
前記水面検出手段は一対の電極を有し、該水面検出手段の故障は、前記一対の電極間に流れる電流と予め定められた閾値との比較により検出されることを特徴とする請求項１〜８の何れかに記載の集塵機。
【請求項１０】
前記水面検出手段は、前記一対の電極間を流れる電流が予め定めた閾値を超えることで前記タンクの水位の上昇を検出する水位検出用の閾値を有し、前記水面検出手段の故障は、前記水位検出用の閾値とは別の閾値により検出されることを特徴とする請求項９記載の集塵機。
【発明の詳細な説明】
【技術分野】
【０００１】
本発明は、丸鋸やジグソー等の木材切断用電動工具や、ハンマードリルや石材カッター等のコンクリートや石材への穴あけや切断、研磨等に用いられる電動工具の切削粉塵や研削粉塵を水と共に吸引して分離するための乾湿両用の集塵機に関するものである。
【背景技術】
【０００２】
丸鋸やジグソー等の木材切断用電動工具や、ハンマードリルや石材カッター等のコンクリートや石材への穴あけや切断、研磨等に用いられる電動工具の切削粉塵や研削粉塵を集塵するための集塵機は、微細な粉塵と空気とを分離するための目の細かいフィルタを用いているが、フィルタが水に浸ると目詰まりしてその機能を失う。
【０００３】
一方、ハンマードリルや石材カッター等のコンクリートや石材への穴あけや切断、研磨等の作業では、切削粉塵の飛散防止や刃物の冷却のために切削箇所に水を滴下させたり、被切削材を水で洗浄することが行われる。このため、乾いた粉塵も水を含んだ粉塵も吸引する乾湿両用の集塵機では、フィルタが水に浸らないように、フィルタが水に浸る直前の位置に一対の電極を設けて電極間に電圧を印加し、水溶液の導電性により電流が流れることを利用し、電極間の電流が予め設定した値以上になったときに吸気装置を停止する水面検出機能を設けている。
【０００４】
上記水面検出機能を備えた集塵機においては、タンク内の底部に或る程度の水が溜まると、集塵機本体を動かしたときにタンク内の水が波打ち、電極間に短時間だけ電流が流れる現象が発生するため、１秒前後以上の時間に亘って電流が流れたときに吸気装置を停止し、一旦水位検出機能が動作すると、集塵機のＯＮ／ＯＦＦスイッチをＯＦＦしない限り集塵機として動作しない構成が採用されている。
【０００５】
そして、フィルタが水に浸る直前の位置に設けた一対の電極と、制御回路の水面検出回路を接続するのに、一対の電極を少なくともフィルタの底か底よりも低い位置に先端があるように配置し、フィルタハウジングを貫通してモータベースと対向する側に接触子を設け、制御回路のリード線を、モータベースを貫通してフィルタハウジングと対向する側に設けた接触子に接続している。そして、この接触子とフィルタハウジングに設けた接触子は、タンクにフィルタ装置とメインモータベースが上乗せされて組み立てられた後、互いに接触して水面検出用電極と制御回路の水面検出回路とを接続している。これは、フィルタ装置をメインモータベースから分離できるようにしてフィルタを清掃したり、フィルタを交換したりするメンテナンス作業をやり易くするためである。
【０００６】
水面検出用電極と制御回路の水面検出回路とをリード線で直接接続すると、フィルタ装置をメインモータベースから分離したときに水面検出用電極がリード線で繋がってしまい、フィルタの清掃やフィルタの交換等のメンテナンス作業を行いづらい。このため、２つの一対の接触子の代わりに接続用コネクタを使用する場合もある。
【０００７】
ところで、特許文献１には、乾湿両用掃除機において、フロートスイッチの誤動作を防ぐために、有底筒状のフロートスイッチ装着体の先端部にフロートスイッチのスイッチ部を内設するとともに、フロートを昇降自在に外設する構成が提案されている。
【０００８】
又、特許文献２には、フィルタに目詰まりが生じた場合に除塵装置を自動で運転してフィルタの除塵を行う集塵機が提案されている。
【特許文献１】特開平５−２２８０７６号公報
【特許文献２】特開２００７−２４５０１９号公報
【発明の開示】
【発明が解決しようとする課題】
【０００９】
ところで、乾いた粉塵も水を含んだ粉塵も吸引する従来の乾湿両用の集塵機では、フィルタが水に浸る直前の位置に設けた一対の電極と制御回路の水面検出回路とを接続するのに、メインモータベースに設けた接触子とフィルタハウジングに設けた接触子は、タンクにフィルタ装置とメインモータベースが上乗せされて組み立てられたときに互いに接触して水面検出用電極と制御回路の水面検出回路とを接続しているが、接触子に接触不良が生じると水面検出の機能が働かなるという問題があった。そして、水面検出機能が働かない状態で水を吸い込むと、フィルタが水に浸って目詰まりを起こしていた。
【００１０】
又、タンクに水が許容量溜って吸気装置が停止したとき、使用者は、何が原因で吸気装置が停止したか分からない場合があった。
【００１１】
本発明は上記問題に鑑みてなされたもので、その目的とする処は、水面検出機能が働かない状態での水の吸い込みを防ぎ、フィルタが水に浸って目詰まりを起こすという不具合の発生を防ぐことができる集塵機を提供することにある。
【課題を解決するための手段】
【００１２】
上記目的を達成するため、請求項１記載の集塵機は、
粉塵を吸引する吸気装置と、
該吸気装置によって吸込口から吸引される塵埃を収納するタンクと、
該タンクの水位を検出する水面検出手段とを有し、
前記水面検出手段の故障を検知する検知手段を設けたことを特徴とする。
【００１３】
請求項２記載の発明は、請求項１記載の発明において、前記水面検出手段は、一対の電極及び水面検出回路と、前記一対の電極側と前記水面検出回路側とを分離可能に接続する接触子とを有し、前記検出手段は前記接触子の接触不良を検知することを特徴とする。
【００１４】
請求項３記載の発明は、請求項２記載の発明において、前記接触子から見て前記一対の電極側に前記一対の電極間を接続する抵抗器を設けたことを特徴とする。
【００１５】
請求項４記載の発明は、請求項１〜３の何れかに記載の発明において、前記水面検出手段の故障を検知したときに警告を発する警告手段を設けたことを特徴とする。
【００１６】
請求項５記載の発明は、請求項１〜４の何れかに記載の発明において、前記タンク内の水位が予め定めた閾値を超えたときに警告を発する水位警告手段を設けたことを特徴とする。
【００１７】
請求項６記載の発明は、請求項５記載の発明において、前記警告手段を前記水位警告手段とは別に設けたことを特徴とする。
【００１８】
請求項７記載の発明は、請求項１〜６の何れかに記載の発明において、前記水面検出手段の故障を検知した状態で、前記吸気装置が運転状態にならないようにする制御手段を設けたことを特徴とする。
【００１９】
請求項８記載の発明は、請求項１〜７の何れかに記載の発明において、前記吸気装置が運転状態にあるとき、前記水面検出手段の故障を検知して前記吸気装置が停止状態となることを特徴とする。
【００２０】
請求項９記載の発明は、請求項１〜８の何れかに記載の発明において、前記水面検出手段は一対の電極を有し、該水面検出手段の故障は、前記一対の電極間に流れる電流と予め定められた閾値との比較により検出されることを特徴とする。
【００２１】
請求項１０記載の発明は、請求項９記載の発明において、前記水面検出手段は、前記一対の電極間を流れる電流が予め定めた閾値を超えることで前記タンクの水位の上昇を検出する水位検出用の閾値を有し、前記水面検出手段の故障は、前記水位検出用の閾値とは別の閾値により検出されることを特徴とする。
【発明の効果】
【００２２】
請求項１記載の発明によれば、検出手段によって水面検出手段の故障を検知することができる。
【００２３】
請求項２記載の発明によれば、検出手段によって接触子の接触不良を検知することができる。
【００２４】
請求項３記載の発明によれば、安価な構成で接触子の接触不良を検知することができる。
【００２５】
請求項４記載の発明によれば、使用者は、警告手段が発する警告によって接触子の接触不良を知ることができる。
【００２６】
請求項５記載の発明によれば、タンク内に予め定めた閾値以上の水位まで水が溜まることを防ぐことができる。
【００２７】
請求項６記載の発明によれば、使用者は、吸気装置が停止した原因を正確に認識することができる。
【００２８】
請求項７記載の発明によれば、接触子が接触不良の状態でスイッチをオンにしてしまった場合であっても、水面検出機能が働かない状態での集塵機の使用を防ぐことができる。
【００２９】
請求項８記載の発明によれば、集塵機の使用中に接触子が接触不良となった場合であっても、水面検出機能が働かない状態での集塵機の使用を続けることがないようにすることができる。
【００３０】
請求項９記載の発明によれば、一対の電極間に流れる電流と予め定められた閾値とを比較することによって水面検出手段の故障を検知することができる。
【００３１】
請求項１０記載の発明によれば、水面検出手段の故障を水面検出手段と同じ検出手段を用いて行うことができる。
【発明を実施するための最良の形態】
【００３２】
以下に本発明の実施の形態を添付図面に基づいて説明する。
【００３３】
図１は本発明に係る集塵機の側断面図、図２は同集塵機の制御装置の構成を示すブロック図である。
【００３４】
図１に示すように、集塵機１は、塵埃を収納するための円筒状のタンク２を備えており、このタンク２の側部には吸込口３が開口し、タンク２の上側開口部には、メインモータベース４と一体のメインモータカバー５及びヘッドカバー６がクランプされており、メインモータベース４とメインモータカバー５の間には吸気装置７が内蔵されている。
【００３５】
上記吸気装置７は、吸込ファン８と、該吸込ファン８を回転駆動するメインモータ９で構成されており、メインモータベース４の下部に設けられた吸気口４ａから吸い込まれた空気を排気口４ｂに排気する排気経路をメインモータベース４とメインモータカバー５及びヘッドカバー６で構成している。
【００３６】
前記メインモータカバー５の吸込口３の上に位置する部分には、操作パネル１５と制御回路１４及び絶縁トランス２３が設置されている。そして、図２に示すように、制御回路１４の水面検出回路２８の入力の一対のリード線は、メインモータベース４を貫通してメインモータベース４の下部に設けられた一対の接触子２５ａ，２５ｂに接続されている。
【００３７】
一方、図１に示すように、タンク２の上側開口部とメインモータベース４の間には、フィルタハウジング１１が挟み込まれ固定されており、該フィルタハウジング１１には、塵埃を排除して空気だけを通過させるフィルタ１３と、該フィルタ１３が内部の負圧で潰れないように保持するフィルタカバー１２が取り付けられ、これらのフィルタ１３とフィルタカバー１２はフィルタ装置１０を構成している。
【００３８】
そして、上記フィルタ１３の下方に先端が位置する一対の電極２７ａ，２７ｂは、図２に示すように、フィルタハウジング１１を貫通して該フィルタハウジング１１のメインモータベース４側に設けられた一対の接触子２６ａ，２６ｂに接続されている。そして、一対の接触子２６ａ，２６ｂの間には固定抵抗器３３が接続されている。
【００３９】
メインモータベース４の下部に設けられた一対の接触子２５ａ，２５ｂとフィルタハウジング１１のメインモータベース４側に設けられた一対の接触子２６ａ，２６ｂは、対向して接触しており、前記一対の電極２７ａ，２７ｂと制御回路１４の水面検出回路２８の入力とを接続している。
【００４０】
水面検出回路２８の２つの入力端の間には、水面検出回路２８から例えば電極２７ａ側がプラス、電極２７ｂ側がマイナスのＤＣ電圧が印加されているため、このとき、水面検出回路２８の２つの入力端子の間に流れる電流は、前記固定抵抗器３３を流れる電流と電極２７ａ，２７ｂの間を流れる電流との和となる。
【００４１】
図３に電極２７ａと２７ｂの間に固定抵抗器３３を接続し、その抵抗値を変化させたときの水面検出回路２８の２つの入力端の間に流れる電流の一例を示す。ここで、固定抵抗器３３の抵抗値を１ＭΩとしている。
【００４２】
図３に示す例では、電極２７ａと２７ｂの間に抵抗器を接続しないときの水面検出回路２８の２つの入力端の間に流れる電流は３．３６μＡ程度であり、メインモータベース４の下部に設けられた一対の接触子２５ａ，２５ｂとフィルタハウジング１１のメインモータベース４側に設けた一対の接触子２６ａ，２６ｂの接触が断線等の不具合が生じたかどうかは、余裕を持たせて２．０μＡ程度より小さい電流しか流れないことによって判断される。これは、固定抵抗器３３の抵抗値が２ＭΩ程度になったときに相当する。
【００４３】
電極２７ａと２７ｂが水に浸されていないときは、電極２７ａと２７ｂの間は空気によって絶縁されている。このため、電極２７ａと２７ｂの間には電流は殆ど流れず、水面検出回路２８の２つの入力端の間に流れる電流は固定抵抗器３３を流れる電流だけである。図３に示す例では約３．３６μＡ程度である。
【００４４】
双方の電極２７ａと２７ｂが水に浸されると、水に含まれるプラスイオンとマイナスイオンの働きで、電極２７ａと２７ｂの間に電流が流れる。このとき、水面検出回路２８の２つの入力端の間に流れる電流は、前記固定抵抗器３３を流れる電流と、電極２７ａと２７ｂの間に流れる電流の和となる。
【００４５】
図３に示す例では、水面検出回路２８の２つの入力端の間に流れる電流は、電極２７ａと２７ｂの間を短絡状態にしたときで１０μＡ程度である。
【００４６】
そして、電極が水に浸ったかどうかの閾値は、印加するＤＣ電圧が５Ｖで、電極２７ａ，２７ｂ間の等価抵抗値が１ＭΩ程度のときに５．０５μＡ程度より大きい場合に電極２７ａ，２７ｂが水に浸ったと判断する。普通の水道水の電気抵抗率が約０．００４〜０．０１５×１０6 Ω・ｃｍ程度であるため、電極２７ａ，２７ｂ間の等価抵抗値の１ＭΩは十分余裕をもった値となっている。
【００４７】
コンセント３２は操作パネル１５に取り付けられており、該コンセント３２に流れる電流は、電流検出器３０とコンセント電流検出回路３１によってマイクロコンピュータ２２のアナログ入力ポートＡin１に接続されている。そして、操作パネル１５に取り付けられたコンセント３２に電動工具を接続し、該コンセント３２から電動工具に電源を供給して該電動工具を運転すると、マイクロコンピュータ２２が電動工具を運転したことを感知して集塵機１が自動的に運転状態になり、該電動工具を停止させると、集塵機１を自動的に数秒間運転状態にした後に停止させる連動運転モード機能と、集塵機１の運転状態と停止状態を操作スイッチで切り替えて床掃除を行う単動運転モード機能を持たせている。尚、連動運転モードと単動運転モードの切り替えは単／連動切替スイッチ２９によって行われる。
【００４８】
図示しないが、メインモータ駆動回路１９の電力制御素子は、フォトトライアック或はフオトカプラと呼ばれる光絶縁カプラによって電気絶縁がなされている。
【００４９】
警告灯２０は、警告灯駆動回路２１によって点灯と消灯或は点滅とマイクロコンピュータ２２の出力ポートＤ１の信号で制御され、例えば、電極２７ａ，２７ｂ間に流れる電流が予め定めた閾値を超えたときに点灯する警告を発する。そして、水面検出用電極２７ａ，２７ｂに断線等の不具合が生じたときには警告灯２０を点滅させ、電極２７ａ，２７ｂ間に流れる電流が予め定めた閾値を超えたときと区別している。
【００５０】
次に、本発明に係る集塵機１の制御動作を図４及び図５に示すフローチャートに基づいて説明する。
【００５１】
電源プラグ１６を電源に接続して制御回路１４に電源が供給され、マイクロコンピュータ２２が動作状態になると、図４に示すように、イニシャライズ処理１００がなされ、レジスタやＲＡＭ、入出力ポート等が初期状態になる。
【００５２】
次に、Ａから始まる指示待ち入力スキャン１１０の処理に入る。
【００５３】
指示待ち入力スキャン１１０の処理では、ＯＮ／ＯＦＦスイッチ１７、水面検出回路２８、単／連動切替スイッチ２９、コンセント電流検出回路３１の状態をスキャンしている。そして、ＯＮ／ＯＦＦスイッチ１７がＯＮで、且つ、水面検出回路２８からの入力が水位検出閾値より小さく、且つ、水位検出断線閾値よりも大きく、且つ、単／連動切替スイッチ２９がＯＮのとき、Ｂから始まる単動動作処理に移行し、ＯＮ／ＯＦＦスイッチ１７がＯＮで、且つ、水面検出回路２８からの入力が水位検出閾値より小さく、且つ、水位検出断線閾値よりも大きく、且つ、単／連動切替スイッチ２９がＯＦＦでコンセント電流が閾値より大きいとき、Ｃから始まる連動動作処理に移行し、ＯＮ／ＯＦＦスイッチ１７がＯＮで、且つ、水面検出回路２８からの入力が１秒を超えて水位検出閾値より大きいときには、Ｄから始まる水位検出処理のＤ１に移行する。尚、図２において、１８はＯＮ／ＯＦＦスイッチ検出開路である。
【００５４】
Ｂから始まる単動動作処理では、メインモータＯＮの処理１２１を行い、Ｂ１から始まる単動入力スキャン１２０の処理に入る。
【００５５】
単動入力スキャン１２０の処理では、ＯＮ／ＯＦＦスイッチ１７、水面検出回路２８、単／連動切替スイッチ２９及びコンセント電流検出回路３１の状態をスキャンしている。そして、ＯＮ／ＯＦＦスイッチ１７がＯＦＦのとき、及び、ＯＮ／ＯＦＦスイッチ１７がＯＮで、且つ、水面検出回路２８からの入力が水位検出閾値より小さく、且つ、単／連動切替スイッチ２９がＯＦＦでコンセント電流が閾値より小さいときには、メインモータＯＦＦの処理１２６を行い、Ａから始まる指示待ち入力スキャン１１０の処理に移行し、ＯＮ／ＯＦＦスイッチ１７がＯＮで、且つ、水面検出回路２８からの入力が水位検出閾値より小さく、且つ、単／連動切替スイッチ２９がＯＦＦでコンセント電流が閾値より大きいときには、Ｃから始まる連動動作処理Ｃ１に推移し、ＯＮ／ＯＦＦスイッチ１７がＯＮで、且つ、水面検出回路２８からの入力が１秒を超えて水位検出閾値より大きいときには、Ｄから始まる水位検出処理に移行する。
【００５６】
Ｃから始まる連動動作処理では、メインモータＯＮの処理１３１を行い、Ｃ１から始まる連動入力スキャン１３０の処理に入る。
【００５７】
図５に示す連動入力スキャン１３０の処理では、ＯＮ／ＯＦＦスイッチ１７、水面検出回路２８、単／連動切替スイッチ２９及びコンセント電流検出回路３１の状態をスキャンしている。そして、ＯＮ／ＯＦＦスイッチ１７がＯＦＦのとき、メインモータＯＦＦの処理１４７を行い、Ａから始まる指示待ち入力スキャン１１０の処理に移行し、ＯＮ／ＯＦＦスイッチ１７がＯＮで、且つ、水面検出回路２８からの入力が水位検出閾値より小さく、且つ、単／連動切替スイッチ２９がＯＮのとき、Ｂから始まる単動動作処理Ｂ１に移行し、ＯＮ／ＯＦＦスイッチ１７がＯＮで、且つ、水面検出回路２８からの入力が水位検出閾値より小さく、且つ、単／連動切替スイッチ２９がＯＦＦでコンセント電流が閾値より小さいときには、５秒タイマＯＮの処理１４１を行い、Ｃ２から始まる５秒運転入力スキャンの処理１４０に移行し、ＯＮ／ＯＦＦスイッチ１７がＯＮで、且つ、水面検出回路２８からの入力が１秒を超えて水位検出閾値より大きいときには、Ｄから始まる水位検出処理に移行する。
【００５８】
Ｃ２から始まる５秒運転入力スキャンの処理１４０では、５秒タイマのオーバーフローのチェックと、ＯＮ／ＯＦＦスイッチ１７、水面検出回路２８、単／連動切替スイッチ２９及びコンセント電流検出回路３１の状態をスキャンしている。そして、５秒タイマのオーバーフローが生じたとき、及び、ＯＮ／ＯＦＦスイッチ１７がＯＦＦのとき、メインモータＯＦＦの処理１４７を行い、Ａから始まる指示待ち入力スキャンの処理１１０に移行し、ＯＮ／ＯＦＦスイッチ１７がＯＮで、且つ、水面検出回路２８からの入力が水位検出閾値より小さく、且つ、単／連動切替スイッチ２９がＯＮのときには、Ｂから始まる単動動作処理Ｂ１に移行し、ＯＮ／ＯＦＦスイッチ１７がＯＮで、且つ、水面検出回路２８からの入力が水位検出閾値より小さく、且つ、単／連動切替スイッチ２９がＯＦＦでコンセント電流が閾値より大きいときには、Ｃから始まる連動動作処理Ｃ１に移行し、ＯＮ／ＯＦＦスイッチ１７がＯＮで、且つ、水面検出回路２８からの入力が１秒を超えて水位検出閾値より大きいときには、Ｄから始まる水位検出処理に移行する。
【００５９】
Ｄから始まる水位検出処理では、メインモータＯＦＦの処理１５１を行い、Ｄ１を経て、警告灯点灯の処理１５２を行い、水位検出キースキャン処理１５０に入る。
【００６０】
水位検出キースキャン処理１５０では、ＯＮ／ＯＦＦスイッチ１７がＯＦＦになるまでループを繰り返す。このため、水位検出電極２７ａ，２７ｂを流れる電流が１秒を超えて水位検出閾値より大きい状態になった後は、ＯＮ／ＯＦＦスイッチ１７を一旦ＯＦＦにしないと集塵機１を運転状態にはできない。
【００６１】
ＯＮ／ＯＦＦスイッチ１７がＯＦＦになると、警告灯消灯の処理１５４を行い、Ａから始まる指示待ち入力スキャン処理１１０に移行する。
【００６２】
以上のように、タンク２に溜まった水の量が許容量より少なく、一対の水位検出電極２７ａ，２７ｂ間を流れる電流が１秒を超えて水位検出閾値より大きい状態にならないときには、電源プラグ１６を電源に接続し、ＯＮ／ＯＦＦスイッチ１７をＯＮし、単／連動切替スイッチ２９もＯＮにしたとき、メインモータ９がＯＮとなって集塵機１は運転状態になる。そして、ＯＮ／ＯＦＦスイッチ１７をＯＦＦするか、又は単／連動切替スイッチ２９をＯＦＦにしたとき、メインモータ９がＯＦＦとなって集塵機１は停止状態になる単動運転モードになる。
【００６３】
一方、ＯＮ／ＯＦＦスイッチ１７をＯＮし、単／連動切替スイッチ２９はＯＦＦで、コンセント３２に接続した電動工具を運転したとき、メインモータ９がＯＮとなって集塵機１は運転状態になる。そして、コンセント３２に接続した電動工具の運転を停止させると、集塵機１は５秒程度運転された後に停止する連動運転モードとなる。
【００６４】
単動運転モード及び連動運転モードの双方の運転モードにおいて、メインモータ９がＯＮであって吸気装置７が運転状態のとき、タンクに水が溜まり、水位検出電極２７ａ，２７ｂを流れる電流が１秒を超えて水位検出閾値より大きい状態になったときには、メインモータ９がＯＦＦとなって吸気装置７は停止状態になる。このときは、警告灯２０が点灯し、ＯＮ／ＯＦＦスイッチ１７を一旦ＯＦＦにしないと集塵機１を運転状態にはできない。
【００６５】
而して、Ａから始まる指示待ち入力スキャン処理１１０に入ったとき、先ず、水面検出断線閾値より小か否かの判断１１６がなされる。普通は固定抵抗器３３に流れる電流がこれより大きいため、警告灯消灯の処理１１８を行い、次のステップ１１１に進む。
【００６６】
しかし、水面検出用の一対の電極２７ａ，２７ｂからの接続が、メインモータベース４の下部に設けられた一対の接触子２５ａ，２５ｂとフィルタハウジング１１のメインモータベース４側に設けた一対の接触子２６ａ，２６ｂで断線等の不具合が生じていると、水面検出断線閾値より小かの判断１１６がＹｅｓとなり、警告灯点滅の処理１１７を行い、Ａに戻るため、水面検出断線閾値より小かの判断１１６と警告灯点滅の処理１１７を繰り返すループになり、ＯＮ／ＯＦＦスイッチ１７の状態を判断する処理１１１に移行しないために集塵機１は動作しない。そして、警告灯２０が点滅し、水位検出の不具合を使用者に警告する。
【００６７】
水面検出回路２８と水面検出用電極２７ａ，２７ｂの接続が良好のとき、水面検出断線閾値より小か否かの判断１１６がなされると、固定抵抗器３３に流れる電流がこれより大きいため、警告灯消灯の処理１１８を行い、次のＯＮ／ＯＦＦスイッチ１７がＯＮか否かの判別処理１１１になる。このとき、既に水面検出用電極２７ａ，２７ｂが水に浸っていてＯＮ／ＯＦＦスイッチ１７がＯＮになると、水面検出回路２８の出力が閾値より大きいか否かの判断１１２がなされ、水面検出回路２８の出力が閾値より大きいときには、水面検出回路２８の出力が閾値より大きい時間が１秒を超えたかの判断１１３を行い、未だ１秒以下のときＡに戻るため、水面検出断線閾値より小か否かの判断１１６と、警告灯消灯の処理１１８と、ＯＮ／ＯＦＦスイッチ１７がＯＮか否かの判別処理１１１と、水面検出回路２８の出力が閾値より大きいかの判別処理１１２と、水面検出回路２８の出力が閾値より大きい時間が１秒を超えたか否かの判別処理１１３のループを繰り返す。
【００６８】
そして、水面検出回路２８の出力が閾値より大きい時間が１秒を超えたとき、Ｄから始まる水位検出処理のＤ１に移行し、警告灯点灯処理１５２で警告灯２０を点灯し、水位検出キースキャン処理１５０に入り、ＯＮ／ＯＦＦスイッチ１７がＯＮか否かの判別処理１５３のループに入る。このため、水面検出電極２７ａ，２７ｂが既に水に浸っている状態でＯＮ／ＯＦＦスイッチ１７をＯＮにしても集塵機１が運転状態になることはない。このとき、使用者は、警告灯２０の点灯状態によってタンク２に水が許容量溜まっていることを知ることができる。
【００６９】
以上のように、本実施の形態によれば、乾いた粉塵も水を含んだ粉塵も吸引することができる乾湿両用の集塵機１において、一対の電極２７ａ，２７ｂを少なくともフィルタ１３の底か底より低い位置に先端があるようにフィルタハウジング１１に設け、メインモータベース４に水面検出回路２８と接続された一対の接触子２５ａ，２５ｂを設け、該一対の接触子２５ａ，２５ｂと前記一対の電極２７ａ，２７ｂに接続された接触子２６ａ，２６ｂとを接触させ、予め定めた電流より小さな電流が一対の電極２７ａ，２７ｂ間に流れるよう該電極２７ａ，２７ｂ間に固定抵抗器３３を接続し、該固定抵抗器３３を流れる電流より小さい電流しか流れていないことを検出したときに水面検出回路２８の故障を検出する手段を設けたため、接触子２５ａ，２５ｂと接触子２６ａ，２６ｂに接触不良が生じて水面検出の機能が働かない状態で吸気装置７が運転されることがなく、水面検出機能が働かない状態での水の吸い込みが防がれ、フィルタ１３が水に浸って目詰まりを起こすという不具合の発生が確実に防がれる。
【００７０】
又、本実施の形態では、水面検出回路２８の故障を検出したときには、水面検出用電極２７ａ，２７ｂに断線等の不具合が生じたときには警告灯２０を点滅させ、電極２７ａ，２７ｂ間に流れる電流が予め定めた閾値を超えたときと区別するようにしたため、使用者は、吸気装置が停止した原因を正確に認識することができる。
【図面の簡単な説明】
【００７１】
【図１】本発明に係る集塵機の側断面図である。
【図２】本発明に係る集塵機の制御装置の構成を示すブロック図である。
【図３】本発明に係る集塵機の電極間抵抗値と水位検出器入力間電流との関係を示す図である。
【図４】本発明に係る集塵機の制御動作を示すフローチャートである。
【図５】本発明に係る集塵機の制御動作を示すフローチャートである。
【符号の説明】
【００７２】
１              集塵機
２              タンク
３              吸込口
４              メインモータベース
４ａ            メインモータベースの吸気口
４ｂ            メインモータベースの排気口
５              メインモータカバー
６              ヘッドカバー
７              吸気装置
８              吸込ファン
９              メインモータ
１０            フィルタ装置
１１            フィルタハウジング
１２            フィルタカバー
１３            フィルタ
１４            制御回路
１５            操作パネル
１６            電源プラグ
１７            ＯＮ／ＯＦＦスイッチ
１８            ＯＮ／ＯＦＦスイッチ検出回路
１９            メインモータ駆動回路
２０            警告灯
２１            警告灯駆動回路
２２            マイクロコンピュータ
２３            絶縁トランス
２４            ＤＣ電源
２５ａ，２５ｂ  接触子
２６ａ，２６ｂ  接触子
２７ａ，２７ｂ  電極
２８            水面検出回路
２９            単／連動切替スイッチ
３０            電流検出器
３１            コンセント電流検出回路
３２            コンセント
３３            固定抵抗器
【図１】
2009165752.tif 000003
【図２】
2009165752.tif 000004
【図３】
2009165752.tif 000005
【図４】
2009165752.tif 000006
【図５】
2009165752.tif 000007